(57)【要約】【課題】データへのアクセスに関するアクセス履歴を所望の形態で管理することが可能な履歴情報管理方法を提供すること。【解決手段】データへのアクセスに関するアクセス履歴情報を収集し（ＳＴ１０２）、送信条件に基づき前記アクセス履歴情報を送信し（ＳＴ１０８）、管理条件に基づき前記アクセス履歴情報を管理する（ＳＴ１１２）。【選択図】    図３
2005025617.tif 000002
【特許請求の範囲】
【請求項１】
データへのアクセスに関するアクセス履歴情報を収集し、
送信条件に基づき前記アクセス履歴情報を送信し、
管理条件に基づき前記アクセス履歴情報を管理する、ことを特徴とする履歴情報管理方法。
【請求項２】
前記送信条件は、前記アクセス履歴情報の送信内容を制限する送信内容制限条件を含み、この送信内容制限条件に基づき前記アクセス履歴情報に含まれる所定の情報だけを送信することを特徴とする請求項１に記載の履歴情報管理方法。
【請求項３】
前記管理条件は、前記アクセス履歴情報に対するアクセスを制限するアクセス制限条件を含み、このアクセス制限条件に基づき前記アクセス履歴情報に対する所定のアクセス先からのアクセスを制限することを特徴とする請求項１に記載の履歴情報管理方法。
【請求項４】
前記管理条件は、前記アクセス履歴情報の公開内容を制限する公開内容制限条件を含み、この公開内容制限条件に基づき前記アクセス履歴情報の一部を公開することを特徴とする請求項１に記載の履歴情報管理方法。
【請求項５】
前記送信条件は、前記アクセス履歴情報の送信先を複数指定する送信先指定条件を含み、この送信先指定条件に基づき前記アクセス履歴情報を指定された複数の送信先へ送信し、
前記管理条件は、前記送信先指定条件により指定された複数の送信先における前記アクセス履歴情報の管理条件を一括して指定する一括指定条件を含み、この一括指定条件に基づき、各送信先に送信された前記アクセス履歴情報を一括して管理する、ことを特徴とする請求項１に記載の履歴情報管理方法。
【請求項６】
前記管理条件に基づき管理された前記アクセス履歴情報に対するアクセスに対応して、アクセス権の有無を案内することを特徴とする請求項１に記載の履歴情報管理方法。
【請求項７】
前記送信条件は、前記アクセス履歴情報の送信先を複数指定する送信先指定条件を含み、この送信先指定条件に基づき前記アクセス履歴情報を指定された複数の送信先へ送信し、
複数の送信先への前記アクセス履歴情報の送信に対応して、複数の送信先で前記アクセス履歴情報を管理し、
前記アクセス履歴情報に対するアクセスに対応して、前記アクセス履歴情報が複数の送信先で管理されていることを案内する、ことを特徴とする請求項１に記載の履歴情報管理方法。
【請求項８】
前記アクセス履歴情報を解析することによりアクセス関連履歴情報を生成し、前記アクセス履歴情報に加えて前記アクセス関連履歴情報を管理することを特徴とする請求項１に記載の履歴情報管理方法。
【請求項９】
データへのアクセスに関するアクセス履歴情報を取得する取得手段と、
前記取得手段により取得された前記アクセス履歴情報を、管理条件に基づき管理する管理手段と、を備えたことを特徴とする履歴情報管理装置。
【請求項１０】
前記管理条件は、前記アクセス履歴情報に対するアクセスを制限するアクセス制限条件を含み、
前記管理手段は、このアクセス制限条件に基づき前記アクセス履歴情報に対する所定のアクセス先からのアクセスを制限する、ことを特徴とする請求項９に記載の履歴情報管理装置。
【請求項１１】
前記管理条件は、前記アクセス履歴情報の公開内容を制限する公開内容制限条件を含み、
前記管理手段は、この公開内容制限条件に基づき前記アクセス履歴情報の一部を公開する、ことを特徴とする請求項９に記載の履歴情報管理装置。
【請求項１２】
前記管理手段は、前記アクセス履歴情報を解析することによりアクセス関連履歴情報を生成し、前記アクセス履歴情報に加えて前記アクセス関連履歴情報を管理する、ことを特徴とする請求項９に記載の履歴情報管理装置。
【請求項１３】
データへのアクセスに関するアクセス履歴情報を収集する手順と、
送信条件に基づき前記アクセス履歴情報を送信する手順と、
管理条件に基づき前記アクセス履歴情報を管理する手順と、をコンピュータに実行させるためのプログラム。
【請求項１４】
前記送信条件は、前記アクセス履歴情報の送信内容を制限する送信内容制限条件を含み、この送信内容制限条件に基づき前記アクセス履歴情報に含まれる所定の情報だけを送信する手順をコンピュータに実行させるための請求項１３に記載のプログラム。
【発明の詳細な説明】
【０００１】
【発明の属する技術分野】
この発明は、各種データに対するアクセスに関する履歴を管理する履歴情報管理方法及び履歴情報管理装置に関する。
【０００２】
【従来の技術】
データ情報へのアクセス履歴は、その情報への関心の強さや傾向を知る上で非常に意味のあるものであり、これまでにも様々なものが提案されている。
【０００３】
例えば文章形式のデータに対して、何時から何時までそれを読んでいたか、情報に対して関心を持った部分へのアンダーラインやメモ等の付加情報をまとめて保存し、要求に応じそれらを表示する装置が提案されている（特許文献１参照）。
【０００４】
【特許文献１】
特開２００２−９０９５５
【０００５】
【発明が解決しようとする課題】
しかしながら、特許文献１に記載の装置では、ユーザが意識して一つの情報に対して付加情報を付与する必要がある特性上、保存される情報には偏りが出てしまい、情報同士の関連を求めるのは難しい。
【０００６】
通常の作業におけるデータアクセスは頻繁に行われ、その範囲、アクセスエリアに関して、例えば自分のＰＣ内のデータアクセスからネットワーク上のデータアクセスまでであったり、アクセスデータであるならば文章情報から音楽情報までであったりといったように広範囲にわたっている。
【０００７】
この発明の目的は、ユーザが毎回意識することなく、データへのアクセスに関するアクセス履歴を所望の形態で管理することが可能な履歴情報管理方法及び履歴情報管理装置を提供することにある。
【０００８】
【課題を解決するための手段】
上記課題を解決し目的を達成するために、この発明の履歴情報管理方法及び履歴情報管理装置は、以下のように構成されている。
【０００９】
（１）この発明の履歴情報管理方法は、データへのアクセスに関するアクセス履歴情報を収集し、送信条件に基づき前記アクセス履歴情報を送信し、管理条件に基づき前記アクセス履歴情報を管理する。
【００１０】
（２）この発明の履歴情報管理装置は、データへのアクセスに関するアクセス履歴情報を取得する取得手段と、前記取得手段により取得された前記アクセス履歴情報を、管理条件に基づき管理する管理手段とを備えている。
【００１１】
【発明の実施の形態】
以下、この発明の実施の形態について図面を参照して説明する。
【００１２】
図１は、この発明の一例に係る履歴情報管理システムの概略構成を示す図である。図１に示すように、履歴情報管理システムは、例えば複数台のアクセス端末Ｔ及び複数台の履歴ＤＢ（データベース）サーバ１、２、３、４、５、６、…ｎを備えている。アクセス端末Ｔと履歴ＤＢサーバ１、２、３、４、５、６、…ｎとはネットワーク接続されている。
【００１３】
この実施の形態では、「アクセス履歴情報の収集および送信」と「アクセス履歴情報の利用」の二つの概念に分けて説明する。図１は、主に前者、即ちアクセス履歴情報を取得して履歴ＤＢに保存するまでを説明する図である。図２は、主に後者、即ちアクセス履歴情報の利用を説明するための図である。
【００１４】
まず、本実施の形態における用語について定義する。
【００１５】
（１）アクセスデータ
アクセスデータとは、ユーザーまたはＰＣ等からアクセス可能な全ての情報のことを指す。例えば、アクセスデータとは、ローカル、ネットワーク上を問わず、Ｅｘｃｅｌ（登録商標）、ＰｏｗｅｒＰｏｉｎｔ（登録商標）といったＯｆｆｉｃｅ（登録商標）ドキュメントを始め、各種ＤＢ、また例えばＩｎｔｅｒｎｅｔＥｘｐｌｏｒｅｒ（登録商標）といったブラウザからアクセスできるコンテンツ情報、音楽情報、画像情報などである。
【００１６】
（２）データアクセス
データアクセスとは、アクセスデータにアクセスする行為のことを指す。
【００１７】
（３）アクセス履歴情報
アクセス履歴情報とは、アクセスデータヘのアクセス時に得られる情報である。例えば、アクセス履歴情報とは、何時、誰が（何が）アクセスしたのかを示す情報である。
【００１８】
（４）履歴ＤＢ
履歴ＤＢとは、複数のアクセス履歴情報を含み、さらにアクセス履歴情報を解析して得られる複数の情報間の関連を示すアクセス関連履歴情報も含む。
【００１９】
図１に示すように、端末Ｔは、アクセス情報収集部２０１、履歴情報加工部２０２、履歴情報送信部２０３、操作入力部２０４、及び表示部２０５などを備えている。一方、履歴ＤＢサーバ１は、アクセス管理部１０１、記憶部１０２、関連解析部１０３、操作入力部１０４、及び表示部１０５などを備えている。他の履歴ＤＢサーバ２、３、４、５、６、ｎも同様の構成である。
【００２０】
アクセス情報収集部２０１は、所定のデータヘのアクセスイベントの発生に対応して、この所定のデータへのアクセスに関連する情報、即ちアクセス履歴情報を収集する。履歴情報加工部２０２は、アクセス情報収集部２０１により収集されたアクセス履歴情報を、設定された条件に基づき加工する。履歴情報送信部２０３は、履歴情報加工部２０２により加工されたアクセス履歴情報を、設定された条件に基づき所定の履歴ＤＢサーバへ送信する。
【００２１】
アクセス管理部１０１は、履歴情報送信部２０３により送信されたアクセス履歴情報に基づきアクセス権の有無を判断し、アクセス権が有ることが判明すれば、送信されたアクセス履歴情報を記憶部１０２に保存する。アクセス権が無い場合には、アクセス履歴情報の受け取りは拒否される。関連解析部１０３は、アクセス履歴情報を解析し、アクセス関連履歴情報を生成し、記憶部１０２に保存させる。即ち、記憶部１０２には、アクセス履歴情報及びアクセス関連履歴情報が記憶される。
【００２２】
記憶部１０２に保存されたデータ、即ちアクセス履歴情報及びアクセス関連履歴情報は、アクセス権を有するアクセス端末Ｔからのアクセスに対応して、このアクセス端末Ｔに送信され、例えば図１４に示すようにアクセス端末Ｔの表示部に表示される。
【００２３】
ここで、アクセス履歴の収集および送信に関する動作手順を説明する。図３は、アクセス履歴情報の収集およびアクセス履歴情報の送信を説明するためのフローチャートである。
【００２４】
アクセス情報収集部２０１は、アクセスデータに対するアクセス（イベント）の発生（ＳＴ１０１）に対応して動作を開始し、データへのアクセスに関する情報、即ちアクセス履歴情報を収集する（ＳＴ１０２）。アクセス情報収集部２０１が収集するアクセス履歴情報は、例えば「いつアクセスしたかを示す情報」、「誰がまたは何が（どの端末が）アクセスしたかを示す情報」などのアクセス行為に関する情報、「アクセスデータの名称」、「アクセスデータの作成者」、「アクセスデータにアクセスする為に必要なパス」などのアクセスデータ自体の情報を含む。データアクセスに対応して獲得されるアクセス履歴情報は、例えば図６に示すように、時系列に並べられて保持される。
【００２５】
アクセス情報収集部２０１により収集されたアクセス履歴情報に対しては、アクセス端末Ｔの操作入力部２０４及び表示部２０５に表示される設定画面を介して、各種条件を設定することができる。図１２は、アクセス履歴情報に対して送信条件及び管理条件を設定する設定画面の一例を示す図である。
【００２６】
例えば、送信条件として、アクセス履歴情報の送信先（履歴ＤＢサーバ）を１箇所以上指定する送信先指定条件を設定することができる。この場合、送信先指定条件に基づき、指定された１箇所以上の送信先へアクセス履歴情報が送信される。具体的には、図１２の上段に示すように、アクセス履歴情報の送信先のサーバ（履歴ＤＢ）を選択することができる。図１２の上段に示すように、現在送信可能なサーバ（履歴ＤＢ）の一覧が表示され、チェックが付けられたサーバ（履歴ＤＢ）に対してアクセス履歴情報は送信され、チェックが外されたサーバ（履歴ＤＢ）にはアクセス履歴情報は送信されない。各サーバ（各履歴ＤＢ）の設定が完了しているかどうかは、履歴ＤＢ一覧の下に「設定済」又は「未設定」が表示されるので、この表示に基づき判断できる。さらに、送信条件として、アクセス履歴情報の送信内容を制限する送信内容制限条件を設定することができる。この場合、送信内容制限条件に基づき、アクセス履歴情報に含まれる所定の情報だけが送信される。
【００２７】
この履歴情報管理システムは、複数の履歴ＤＢサーバを備えており、複数の履歴ＤＢを共存することができる。履歴ＤＢのアクセスタイプとしては、特定個人のみからアクセス可能なもの、誰からまたは何処からでもアクセス可能なもの、共有されていても許可された人または物のみアクセス可能なものまで様々ある。
【００２８】
また、管理条件として、図１２の下段に示すように、アクセス履歴情報に対するアクセスを制限するアクセス制限条件を設定することができる。この場合、アクセス制限条件に基づき、アクセス履歴情報に対する所定のアクセス先からのアクセスを制限することができる。さらに、管理条件として、図１２の下段に示すように、アクセス履歴情報の公開内容を制限する公開内容制限条件を設定することができる。この場合、公開内容制限条件に基づき、アクセス履歴情報の一部だけを公開することができる。
【００２９】
アクセス情報収集部２０１により収集されたアクセス履歴情報には、例えば図６に示すように、誰がまたは何がどのような情報にアクセスしたのかといった情報から、誰がまたは何がどのような時間帯で情報にアクセスしたのかといった情報まで、多くのプライバシー情報が含まれている。
【００３０】
これに対して、上記した公開内容制限条件に基づき、公開したくない情報の加工や公開範囲の選択が出来る。公開内容制限条件としては、例えば以下のようなものがある。
・アクセス先の情報の名称は表示しない
・アクセス者の名前は保存しない
などの大まかな特定情報の内容を制限する条件。
・あるデータの種類へのアクセス情報は公開しない
・あるキーワードがタイトルが含まれている情報は公開しない
・ある人または物には公開しない／公開する
・ある日付の情報は公開しない
・ある場所にある情報へのアクセスは公開しない
・ある人に送信した情報は送信しない。
などの詳細情報の内容を制限する条件。
【００３１】
送信条件によりアクセス履歴情報の送信先が複数指定されている場合、送信先毎に、管理条件を設定することもできるし、また全ての送信先に対して一括して管理条件を設定することもできる。つまり、送信先毎に、異なる管理条件を設定することもできるし、全ての送信先に対して同一の管理条件を設定することもできる。
【００３２】
上記した送信条件及び管理条件の設定に基づき（ＳＴ１０３、ＳＴ１０４）、履歴情報加工部２０２は、図８及び図９に示すようにアクセス履歴情報を加工する（ＳＴ１０５）。プライバシーを考慮してアクセス履歴情報を加工することで、詳細な情報を削除することができる。このような場合でも、例えば「その情報が誰にも関心をもたれない情報であるのか、興味をもたれている情報なのか」または、「その情報が作成されるまでにどのような情報を参考にしたのか」といった情報の流れや関連を知るきっかけになるなど、十分に意味のある情報となり得る。これらは、図１０に示すアクセス関連履歴情報の例えばアクセスされた回数に反映される。履歴情報加工部２０２で加工されたアクセス履歴情報は、履歴情報送信部２０３により、指定された送信先（履歴ＤＢサーバ）へ送信される（ＳＴ１０８）。
【００３３】
なお、アクセス履歴を送信するタイミングは、図１２の中段に示す「アクセス履歴を送信するタイミング」の設定項目で設定することができる。例えば、設定されている履歴ＤＢヘデータアクセスイベント毎に送信することもできるし、アクセスイベント毎に送信せず例えば毎日特定の時間に送信することもできる。
【００３４】
また、図１２の中段に示す「送信前にアクセス履歴の確認」の設定に応じて、送信前にアクセス履歴（送信内容）の確認画面が表示される（ＳＴ１０６、ＳＴ１０７）。例えば、「送信前にアクセス履歴の確認」の項目をチェックすると、図１３に示すような送信内容の確認画面が表示部２０５に表示される。この確認画面を介して、履歴送信前に履歴ＤＢ毎の送信内容を確認できる。履歴ＤＢ名が書かれたタブをクリックすると、履歴ＤＢごとの送信内容が表示される。「全てを送信」ボタンをクリックすれば、全ての履歴ＤＢサーバへ一括で送信することもできる。また、「送信ボタン」クリックすることで表示さている内容を履歴ＤＢサーバ毎に送信することができる。表示内容は、操作入力部２０４を介して直接編集することができ、最終的にはこの確認画面上で情報の加工をして送信することができる。以上説明した操作によって、アクセス履歴情報は、所定の送信条件に基づき履歴ＤＢサーバへ送信される。
【００３５】
履歴ＤＢサーバのアクセス管理部１０１は、履歴情報送信部２０３により送信されたアクセス履歴情報に基づきアクセス権の有無を判断し、アクセス権が無い場合には（ＳＴ１１０、ＮＯ）、アクセス履歴情報の受け取りは拒否される（ＳＴ１１１）。アクセス権が有ることが判明すれば（ＳＴ１１０、ＹＥＳ）、送信されたアクセス履歴情報を記憶部１０２に保存する（ＳＴ１１２）。このとき、アクセス履歴情報は、例えば図６及び図７に示すように、データアクセスの時間順に並べられて保存される。この時点で、記憶部１０２に保存されている複数のアクセス履歴情報は、互いに関連をもっていない状態で保存されている。
【００３６】
関連解析部１０３は、アクセス履歴情報を解析し（ＳＴ１１３）、例えば図１０及び図１１に示すようなアクセス関連履歴情報を生成し、記憶部１０２に保存させる（ＳＴ１１４）。即ち、管理手段としての記憶部１０２及び関連解析部１０３によりアクセス履歴情報及びアクセス関連履歴情報が管理される。
【００３７】
図１０及び図１１に示すアクセス履歴情報からは、例えば、以下のことを知ることができる。
・特定の情報にどんな人がアクセスしたか
・特定の情報にはどれくらいの数のアクセスがあったのか
・その情報を作る際に参考にした情報は何か
・その情報を使ってどんな情報が新たに作られたか
・どのような経緯で（情報のつながり、人のつながり）その情報ができたのか
つまり、アクセス関連履歴情報に基づき、アクセス履歴情報間の関連を知ることができる。
【００３８】
ここで、アクセス履歴情報に対して設定されるアクセス権について補足する。アクセスデータ（ドキュメント）自体にアクセス制限が設定されている場合がある。このような場合に、このアクセスデータへのアクセスに関するアクセス履歴情報にも、同様にアクセス制限を反映させるようにしてもよい。また、アクセス履歴情報に対するアクセス権の設定は、アクセス履歴情報の送信先毎に設定することもできるし、またアクセス履歴情報の各送信先に対して一括して設定することもできる。例えば図１３に示す確認画面上で、アクセス履歴情報に対してアクセス権を設定することもできる。
【００３９】
次に、アクセス履歴情報の利用に関する動作手順を説明する。
【００４０】
図４は、アクセス履歴情報の利用における表示処理を示すフローチャートである。記憶部１０２に記憶される履歴ＤＢの中には、上記説明したように収集されたアクセス履歴情報、およびこのアクセス履歴情報に基づき解析されたアクセス関連履歴情報が含まれている。これらアクセス履歴情報またはアクセス関連履歴情報の内容は、アクセスが許可されることを条件に、アクセス端末Ｔ（表示部２０５）側で直接見ることができる。具体的には、表示部２０５に表示される、図１４に示すようなアクセス関連履歴の表示画面を介して、アクセス履歴情報を検索した上で、検索結果の表示や情報同士のつながりをグラフィカルに見ることができる。
【００４１】
関連情報の表示は、データアクセスがあった際に、履歴ＤＢを検索し、表示内容を随時更新したり、指定する情報を検索画面などから検索し指定することで、この検索及び指定された情報を表示させたりすることができる。
【００４２】
検索キーワードは、例えば次のようなものがある。
・こんな名前の情報
・この人がアクセスした情報
・この人が作成した情報
・１週間以内の情報
などのアクセス情報自体の検索キーワード。
・３０回以上アクセスされている情報
・予算案を書く時に参考にしたＨＰのＵＲＬ
など情報の関連を使った検索キーワード。
【００４３】
アクセスできる履歴ＤＢサーバ（履歴ＤＢ）は、例えば図１４に示す画面上から確認することができる。履歴ＤＢは、一つのみを選択して表示させることも、または複数を選択して合わせて画面に表示させることもできる。例えば、図１４に示す画面上で、一つの履歴ＤＢが選択され、検索キーワードが入力され、検索が実行されると（ＳＴ２０１、ＮＯ）、選択された一つの履歴ＤＢの中から、入力された検索キーワードに該当するアクセス履歴情報が呼び出され（ＳＴ２０２）、画面上に表示される（ＳＴ２０７）。図１４に示す画面上で、複数の履歴ＤＢが選択され、検索キーワードが入力され、検索が実行されると（ＳＴ２０１、ＹＥＳ）、選択された複数の履歴ＤＢの中から、入力された検索キーワードに該当するアクセス履歴情報が呼び出される（ＳＴ２０３）。呼び出されたアクセス履歴情報に重複があり（ＳＴ２０４、ＹＥＳ）、重複した情報を整合する場合には（ＳＴ２０５、ＹＥＳ）、情報が整合された上で（ＳＴ２０６）、画面上に表示される（ＳＴ２０７）。
【００４４】
なお、異なる送信先（履歴ＤＢサーバ）に格納された同一のアクセス履歴情報であっても、送信先毎に異なる加工処理が加えられていることがある。例えば、所定のアクセス履歴情報を、二つの送信先（履歴ＤＢサーバ）へ送信する場合に、一方の送信先には全てのアクセス履歴情報を送信し、他方の送信先にはアクセス履歴情報に含まれる一部の情報だけを送信するケースがある。このようなケースでは、送信先毎に、異なるアクセス関連履歴情報が作成されていることがある。
【００４５】
このようなケースを考慮して、複数の履歴ＤＢが選択された際には、各履歴ＤＢの情報を別々に表示するようにしてもよい。或いは、アクセス回数を合成して１つの情報として表示するようにしてもよい。つまり、同一情報において関連情報を補間して表示するか否かを選択することができるものとする。
【００４６】
端末Ｔの表示部２０５に表示される画面上の関連表示は、表示可能な全ての関連情報を表示することができる。また、関連情報にアクセスする権限が無い場合はその関連情報を示すアイコンに例えば「×」などを重ねて表示する機能（図１４参照）をもつ。或いは関連情報にアクセスする権限が無い場合はその関連情報のアイコンを表示しない機能をもつ。
【００４７】
図５は、画面表示されたアクセス履歴情報の利用例を示すフローチャートである。図４に示すようにアクセス履歴情報が画面上に表示され、この表示されたアクセス履歴情報中にアクセスしたい情報が含まれていれば（ＳＴ３０１、ＹＥＳ）、操作入力部２０４を介してアクセスしたい情報を指定する。これに伴い、指定された情報のパスに基づき、指定された情報が表示部２０５上に表示される（ＳＴ３０２）。このときの操作、即ち指定された情報へのアクセスに関する履歴が、さらにアクセス履歴情報として追加される（ＳＴ３０３）。
【００４８】
ここで、アクセス権の設定について、さらに補足する。上記説明では、アクセス端末Ｔにおいてアクセス履歴情報に対してアクセス権を設定する場合について説明したが、この発明はこれだけに限定されるものではない。例えば、履歴ＤＢサーバにおいてアクセス履歴情報に対してアクセス権を設定するようにしてもよい。
【００４９】
さらに、複数の履歴ＤＢに含まれる情報を同時に表示する場合について、補足する。例えば、履歴ＤＢサーバ１（ＤＢ１）と履歴ＤＢサーバ５（ＤＢ５）に同一のドキュメントが含まれている場合は、これら同一のドキュメントの表示方法を選択することができる。例えば、重複するドキュメント同士を加工して表示するようにしてもよい。或いは、重複するドキュメントを夫々表示するようにしてもよい。加工の方法は、例えば、夫々の関連に関する値同士を足し合わせたり、ＤＢ毎に重み付けをした上で関連の強さを加算したりするようにしてもよい。また、表示の方法としては、ドキュメント同士の関連を示す矢印の線の太さを関連の強さに応じて変化させたり、関連の強さに応じて数値で示したりするようにしてもよい。
【００５０】
以上説明した、履歴情報管理システムによれば、広範囲にわたるユーザによるアクセス履歴情報を自動的に収集し、またはアクセス履歴情報間の関係を解析し、アクセス履歴情報を再利用可能な形式に変換して保存し、アクセス履歴情報を必要に応じて適切な表示形式で表示することができる。
【００５１】
本実施の形態では装置（アクセス端末Ｔ及び履歴ＤＢサーバ）内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００５２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００５３】
【発明の効果】
この発明によれば、ユーザが毎回意識することなく、データへのアクセスに関するアクセス履歴を所望の形態で管理することが可能な履歴情報管理方法及び履歴情報管理装置を提供できる。
【図面の簡単な説明】
【図１】この発明の一例に係る履歴情報管理システムの概略構成を示す図であって、特にアクセス履歴情報を取得して履歴ＤＢサーバに保存するまでを説明する図である。
【図２】アクセス履歴情報の利用を説明するための図である。
【図３】アクセス履歴情報の収集およびアクセス履歴情報の送信を説明するためのフローチャートである。
【図４】アクセス履歴情報の利用における表示処理を示すフローチャートである。
【図５】画面表示されたアクセス履歴情報の利用例を示すフローチャートである。
【図６】特定のアクセス者によるデータアクセスに対応して取得されたアクセス履歴情報の一例を示す図である。
【図７】複数のアクセス者によるデータアクセスに対応して取得されたアクセス履歴情報の一例を示す図である。
【図８】公開内容を制限していないアクセス履歴情報の一例を示す図である。
【図９】公開内容を一部制限したアクセス履歴情報の一例を示す図である。
【図１０】アクセス関連履歴情報の一例を示す図である。
【図１１】公開内容を一部制限したアクセス関連履歴情報の一例を示す図である。
【図１２】送信条件及び管理条件を設定する設定画面の一例を示す図である。
【図１３】アクセス履歴情報の送信内容を確認するための確認画面の一例を示す図である。
【図１４】アクセス履歴情報を表示する表示画面の一例を示す図である。
【符号の説明】
Ｔ…アクセス端末、１、２、３、４、５、６、ｎ…履歴ＤＢサーバ、１０１…アクセス管理部、１０２…記憶部、１０３…関連解析部、１０４…操作入力部、１０５…表示部、２０１…アクセス情報収集部、２０２…履歴情報加工部、２０３…履歴情報送信部、２０４…操作入力部、２０５…表示部
【図１】
2005025617.tif 000003
【図２】
2005025617.tif 000004
【図３】
2005025617.tif 000005
【図４】
2005025617.tif 000006
【図５】
2005025617.tif 000007
【図６】
2005025617.tif 000008
【図７】
2005025617.tif 000009
【図８】
2005025617.tif 000010
【図９】
2005025617.tif 000011
【図１０】
2005025617.tif 000012
【図１１】
2005025617.tif 000013
【図１２】
2005025617.tif 000014
【図１３】
2005025617.tif 000015
【図１４】
2005025617.tif 000016